(57)【特許請求の範囲】
【請求項１】
被処理液の凝集及び濃縮を単一の装置で行うことを可能にした濃縮用スクリーンを配置し、該濃縮用スクリーンの形状が円筒型である凝集反応装置において、前記濃縮型スクリーンのスリット目の方向を水平方向とし、槽内混合用撹拌機のシャフト上部に減速機を連結し、該減速機に前記濃縮用スクリーンの１次側と２次側の両側近傍に沿って回転するブラシを連結することで、前記濃縮用スクリーンに付着する凝集生成物を連続的に除去する機構をもつことを特徴とする濃縮型凝集反応装置。
【請求項２】
前記ブラシのうち、１次側ブラシの毛の直径を０．５〜１．５ｍｍとし、該毛先とスクリーン１次側の間のクリアランスを０〜５ｍｍとし、２次側ブラシの毛の直径を０．０５〜０．９ｍｍとし、該毛先とスクリーン２次側の間のクリアランスを０〜１０ｍｍとし、前記減速機の減速比を１／５〜１／１５とする請求項１に記載の濃縮型凝集反応装置。
【発明の詳細な説明】
【０００１】
【発明の属する技術分野】
本発明は、汚泥や廃水中から懸濁物質等を濃縮・分離するために用いる凝集反応装置に関し、特に凝集反応と凝集生成物の濃縮・分離を同時に行うことが可能な濃縮型凝集反応装置に関するものである。
【０００２】
【従来の技術】
汚泥や廃水中から懸濁物質等を分離するためには、先ず凝集反応槽にて各種凝集法により廃水中の懸濁物質等を凝集し、次に固液分離装置にて凝集ペレットと水の混合液を分離する場合が多い。この方法の場合、廃水中の懸濁物質濃度が小さい場合は、該固液分離装置に投入される分離水の凝集ペレットに対する容積比率は大きくなり、固液分離装置の固形物分離処理速度は相対的に小さくなる。固液分離装置の固形物分離処理速度を高める方法としては、凝集反応槽と固液分離装置の間に濃縮装置を設けるか、または凝集反応槽を濃縮型凝集反応装置に変更する方法があった。濃縮装置を設ける方法に対して、濃縮型凝集反応装置に変更する方法は改造コストが小さく、コンパクトで非常に効率的な手段であった。
濃縮型凝集反応装置において汚泥や廃水中から懸濁物質等を凝集し、凝集したペレットを濃縮・分離する場合、該反応装置内で凝集した凝集ペレットは粒径が２〜１０ｍｍ程度に成長する。このような凝集ペレットを含んだ被処理水の一部は、該反応装置内の濃縮分離用スリットを通過し系外に排出されるため、凝集ペレットを含む被処理水（懸濁液）は濃縮される。
【０００３】
典型的な濃縮型凝集反応装置を概念的に示した縦断面図を図２に示す。図２を用いて濃縮型凝集反応装置による被処理液の処理を以下に説明する。
図２において、濃縮型凝集反応装置１の形状は縦型円筒状で、反応装置１の下部側面に汚泥供給管６とポリマー供給管７が、また、上部側面に濃縮汚泥流出管９、中間側面に分離水流出管１９がそれぞれ接続されている。反応装置１上部には駆動装置１２があり、この駆動装置１２は反応装置１の凝集反応槽２内を撹拌するためのシャフト１４につけた撹拌羽根１５とスクレーパ２１を回転させる。分離水を分離するスリットを持つスクリーン３は、図３として示すようにリング型のウェッジワイヤー２２を水平にしてそれを垂直方向に重ね、これらを渡したサポートバー２３により固定した構造となっている。
【０００４】
凝集反応槽２内の中央部にはスクリーン３表面上の上向流速を高めるためのドラフトチューブ５がある。被処理液である汚泥は撹拌羽根１５で撹拌され、凝集反応槽２の内壁に沿って上昇し、該内壁とドラフトチューブ５との間を通りスクリーン３の位置まで上昇する間に、液中の懸濁物質等は凝集し、凝集したペレットはスクリーン３のスリットで固液分離される。スクリーン３を通った分離水は分離水流出管１９から系外に排出されるので、槽２内の懸濁物質濃度は上昇する。濃縮された汚泥は濃縮汚泥流出管９から固液分離装置に送られる。分離水は自然流下し、その流量制御はテレスコープ弁１８で行なうようになっている。
【０００５】
以上説明したように、凝集ペレットを含む凝集生成物は、通常は装置内に配置された撹拌機等による水流で撹拌されながら槽内を数分間滞留した後に、前記した濃縮汚泥のように凝集濃縮液として次工程に移送される。しかし、凝集反応槽内の凝集ペレットが反応槽内を滞留している際に分離用スリットに付着、堆積し、分離液の流出が妨げられると、スリットの有効分離面積が減少し、濃縮効率が低下する。そのため、通常はスリット面上のクロスフロー流速を大きくしたり、スリット面付近にスクレーパやブラシを用いたりして凝集ペレットの付着、堆積を防いでいる。これらのスリット目詰まり防止機構は、装置構造の簡略化のために新たな駆動装置を設けずに効果を得るようにすることが望ましいので、槽内の撹拌機の駆動力を利用した簡単な構造のものである場合が多い。
【０００６】
【発明が解決しようとする課題】
しかし、これらの簡単な目詰まり防止機構は、凝集生成物の性状によって大きくその効果が異なる。具体的には凝集ペレットと分離水の粘性、凝集ペレットの粒径及びせん断強度等が異なると、凝集生成物のスリット面への付着の度合いが異なり、その防止機構が機能する場合とそうでない場合が生じる。例えば、一般的には下水処理場や活性汚泥処理施設等で発生する汚泥等のように凝集ペレットの粒径、せん断力がともに比較的大きい場合は従来のスリット目詰まり防止機構で十分対応できるが、汚泥粒子が非常に細かく、凝集ペレットのせん断力を左右する汚泥中の無機成分比が非常に小さいような、特殊な汚泥等を対象とする場合は、その凝集ペレットの揃断力が極端に小さい場合があり、凝集ペレットの一部が壊れてスリットを目詰まりさせる場合がある。そのためクロスフロー水流やスクレーパによる目詰まり防止機構では効果が不十分となる場合がある。すなわち、対象となる汚泥の性状、または生成した凝集ペレットの性状が非常に細かく、せん断強度が小さく、非常に脆い場合に対応した濃縮型凝集反応装置は非常に少なかったといえる。
【０００７】
本発明は、従来技術の前記問題点を解決し、凝集反応用の撹拌機以外の駆動装置を用いず、簡単な構造で、分離用スリットの目詰まりを完全に防止する機構を組み入れ、連続して安定した濃縮効率を維持することを可能にした濃縮型凝集反応装置を提供することを課題とする。
【０００８】
【課題を解決するための手段】
上記課題を解決するために、本発明では、被処理液の凝集及び濃縮を単一の装置で行うことを可能にした濃縮用スクリーンを配置した凝集反応装置において、前記濃縮用スクリーンの形状を円筒型とし、前記濃縮型スクリーンのスリット目の方向を水平方向とし、槽内混合用撹拌機のシャフト上部に減速機を連結し、該減速機に前記濃縮用スクリーンの１次側と２次側の両側近傍に沿って回転するブラシを連結することで、前記濃縮用スクリーン付着する凝集生成物を連続的に除去する機構をもつことを特徴とする濃縮型凝集反応装置を採用した。
なお、前記濃縮用スクリーンの「１次側」とは、前記スクリーンの被処理液側をいい、「２次側」とは分離水側をいう。
前記ブラシは、１次側ブラシの毛先とスクリーン１次側の間のクリアランスを０〜５ｍｍとし、２次側ブラシの毛先とスクリーン２次側の間のクリアランスを０〜１０ｍｍとし、さらに前記減速機の減速比を１／５〜１／１５とすることで、効率良く付着汚泥を除去することが可能となる。
１次側ブラシの毛先とスクリーン１次側の間のクリアランスは０ｍｍとすることが最も好ましいが、製作上常に０ｍｍとすることは困難であるので、０〜５ｍｍの範囲としたものである。また、２次側ブラシの毛先とスクリーン２次側の間のクリアランスについては、スクリーンの外側（二次側）には縦方向にサポートバーがあるため、０ｍｍとするとブラシの摩耗が大きいことから、０〜１０ｍｍ程度とすることが好ましい。
【０００９】
【発明の実施の形態】
図２の従来型濃縮型凝集反応装置（以下「従来型」という）と比較する方法で、本発明をより具体的に説明する。
本発明の濃縮型凝集反応装置（以下「本発明型」という）の実施例の概要図を図１に示す。本発明型では、スクリーンの１次側と２次側の両面上でブラシが回転する構造となっている。両ブラシはそれぞれ２本ずつ存在し、撹拌羽根１５と減速比１／８の減速機１３を介して接続されている。該１次側ブラシ１０の毛の直径は１．０ｍｍで、該ブラシの毛先とスクリーン３のクリアランスは１ｍｍ、該２次側ブラシ１１の毛の直径は０．１５ｍｍで、該ブラシの毛先とスクリーン３のクリアランスは３ｍｍに設定されている。２種類のブラシがスクリーンを挟み込む形で設置されていることから、濃縮汚泥管９は反応槽２の水面中央付近を排出口とし、槽中段側面から槽外に排出する構造となっている。本発明型のその他の細部の構造は従来型と同等である。
【００１０】
先に述べたように従来型は、一般的な下水汚泥や、各種工場排水の活性汚泥処理後の余剰汚泥等を凝集及び濃縮することが可能であった。しかしながら、凝集後の凝集ペレットのせん断強度が極端に小さい場合、凝集ペレットは槽内の撹拌力により粒径１〜５ｍｍ程度まで小さくなり、更にその一部はスクリーン１次側やスクレーパとの摩擦力等により粒径１ｍｍ以下に小さく砕けることがある。粒径１ｍｍ以下に砕かれた凝集ペレット（粉砕ペレットと称す）は、分離水とともにスクリーンを通過し分離水だまりに入るか、もしくはスクリーンのウェッジワイヤー２２の厚さ部分に堆積し、スクリーンのスリット目を塞ぐことになる。特に、凝集剤として粘性の高い高分子凝集剤等を単独で使用し、且つ該凝集剤の添加量が過剰気味となった場合、分離水だまり４やウェッジワイヤーの厚さ部分に存在する粉砕ペレットは、過剰な凝集剤により再凝集し、ウェッジワイヤーの厚さ部分やスクリーン２次側に強固に付着するため、該付着汚泥が自然に剥離されるまで時間がかかる場合がある。
【００１１】
本発明型では、スクリーン３の１次側と２次側の両面上でブラシが回転しているために、スクリーン３の１次側、２次側はともに汚泥が付着しにくい。該２次側のブラシ１１は、スクリーン３の２次側に溶接されている鉛直方向の縦のサポートバー２３と接触しながら移動しているので、該２次側ブラシ１１の毛は断続的にしなったり真っ直ぐに戻ったりしており、スリットの２次側から１次側に向かって水流を起こしている。この水流は、ウェッジワイヤー２２の厚み部分の粉砕ペレットの堆積を軽減させる効果を持っている。該２次側ブラシ１１の毛は、サポートバー２３と接触しながら回転していることから、耐摩耗性に優れ、曲がった場合でも形状が復元し易い素材が適している。
図１には、１次側ブラシ１０と２次側ブラシ１１とが向かい合っているように示しているが、２次側ブラシ１１が回転方向に向かって後から追いかけるような形とすることが好ましい。
なお、図１において、反応槽２の内壁下部には攪拌効果を上げるためのバッフル１６を設け、内壁上部には濃縮汚泥の排出を助けるための汚泥案内板１７を設け、あるいは反応槽２の上部にはスクリーン３上部の目詰まりを減らすためにスプレーノズル２０を設けてもよい。
【００１２】
【実施例】
次に、本発明型を実際に組み込んだ実施例の運転結果の一例について詳細に説明する。
本実施例で使用した濃縮型凝集反応装置は、図１に示した装置と同一の構造を持ち、有効容積は１．４ｍ3 、有効スクリーン面積は２．５ｍ2 のタイプである。対象汚泥はＺ排水処理場で発生した汚泥を使用した。使用した凝集剤はカチオン系の高分子凝集剤のみとした。Ｚ排水処理場の汚泥は、有機成分の率が高く、激しく腐敗が進行しており、高分子凝集剤単独で凝集させた場合、凝集ペレットは非常にせん断強度が小さく、脆い性質があった。濃縮倍率は約２倍とし、汚泥供給量は３０〜５０ｍ3 ／ｈとした。汚泥濃縮は０．８〜１．５％の範囲で変動した。高分子凝集剤の汚泥中ＳＳあたりの添加率は約０．７％ｔｏＳＳとした。以上の条件で２４時間連続運転を約３ケ月間行なった。処理結果を第１表に示す。
【００１３】
【表１】
0004056131.tif 000002
【００１４】
実施例の処理成績の平均値は、処理速度；４２（ｍ3 ／ｈ）、分離水ＳＳ濃度；４４０（ｍｇ／リットル）、濃縮汚泥濃度；２．７（％）で、９０日以上の連続運転が可能であった。処理水ＳＳ濃度の平均値が数百（ｍｇ／リットル）以下である点から濃縮分離が非常に良好に行われているといえる。
【００１５】
【発明の効果】
本発明の濃縮型凝集反応装置を使用することにより、凝集反応用の撹拌機以外の駆動装置を用いず、凝集ペレットが非常に脆く、小さい場合においても、分離用スリットに目詰まりを生じにくく、高い濃縮・分離性能が長期間にわたり維持することができる。
実施例にみるように、本発明の濃縮型凝集反応装置によれば、処理速度を大きく取れ、分離水としてＳＳ濃度が低い処理水が得られ、濃縮により得られる濃縮汚泥濃度も大きく、例えば２．７（％）で、このような処理を９０日以上の連続運転をすることが可能であった。処理水ＳＳ濃度の平均値が（ｍｇ／リットル）以下である点から濃縮分離が非常に良好に行われているといえる。
【図面の簡単な説明】
【図１】本発明の濃縮型凝集反応装置の概要説明図を示す。
【図２】従来の濃縮型凝集反応装置の概要説明図を示す。
【図３】本発明の濃縮型凝集反応装置等で使用される濃縮用のスクリーンの斜視図を示す。
【符号の説明】
１  凝集反応装置
２  凝集反応槽
３  スクリーン
４  分離水溜まり
５  ドラフトチューブ
６  汚泥供給管
７  ポリマー供給管
８  分離水連結管
９  濃縮汚泥流出管
１０  一次側ブラシ
１１  二次側ブラシ
１２  駆動装置
１３  減速機
１４  シャフト
１５  攪拌羽根
１６  バッフル
１７  汚泥案内板
１８  テレスコープ弁
１９  分離水流出管
２０  スプレーノズル
２１  スクレーパ
２２  ウエッジワイヤー
２３  サポートバー
２４  ブラシ
２５  ブラシの毛
【図１】
0004056131.tif 000003
【図２】
0004056131.tif 000004
【図３】
0004056131.tif 000005